(57)【要約】【課題】ディスプレイの入出力特性が十分に反映されたプロファイルを作成する。【解決手段】画像を入出力特性に従った色で表示する液晶モニタ１２０が表示した、互いに色が異なる複数の単色画像それぞれの色を入手し、液晶モニタ１２０の入出力特性を、複数の近似方法それぞれで近似して複数の近似曲線を得る曲線作成部４２１と、それら複数の近似曲線それぞれについて近似精度を算出する精度算出部４２２と、精度算出部４２２で算出された近似精度が最も高い近似曲線を選択する選択部４２３と、選択部４２３で選択された近似曲線を使って液晶モニタ１２０のプロファイルを作成する作成部４２４とを備えた。【選択図】        図４
2007163979.tif 000002
【特許請求の範囲】
【請求項１】
画像を表わす画像データの入力を受け、その画像データが表わす画像を、固有の曲線で表わされる入出力特性に従った色で表示するディスプレイについて、互いに色が異なる複数の単色画像それぞれを表わす複数の単色画像データに基いて前記ディスプレイが表示した複数の出力色を入手し、それら複数の単色画像データと複数の出力色とを使って、前記入出力特性を、互いに異なる複数の近似方法それぞれで近似して複数の近似曲線を得る曲線作成部と、
前記曲線作成部で得られた複数の近似曲線それぞれについて、前記入出力特性に対する近似精度を算出する精度算出部と、
前記複数の近似曲線のうち、前記精度算出部で算出された近似精度が所定の高精度条件を満たす近似曲線を選択する選択部と、
前記選択部で選択された近似曲線を使って、前記ディスプレイに依存した第１の色空間と、該第１の色空間とは別の第２の色空間との対応関係を定義したプロファイルを作成する作成部とを備えたことを特徴とするプロファイル作成装置。
【請求項２】
前記選択部が、前記複数の近似曲線のうち、前記精度算出部で算出された近似精度が最も高いという高精度条件を満たす近似曲線を選択するものであることを特徴とする請求項１記載のプロファイル作成装置。
【請求項３】
前記精度算出部が、前記近似曲線を使って、前記画像データに基いて前記ディスプレイが表示する出力色の近似色を求め、その近似色とその出力色との色差を前記近似精度として算出するものであることを特徴とする請求項１記載のプロファイル作成装置。
【請求項４】
前記曲線作成部が、前記複数の近似方法として、互いに次数が異なる複数の多項式それぞれで前記入出力特性を近似する複数の近似方法を用いるものであることを特徴とする請求項１記載のプロファイル作成装置。
【請求項５】
前記曲線作成部が、前記複数の近似方法のうちの１つの近似方法として、出力値を入力値の指数乗で表わす関数で前記入出力特性を近似する近似方法を用いるものであることを特徴とする請求項１記載のプロファイル作成装置。
【請求項６】
前記曲線作成部が、互いに濃度が異なる複数のグレー色画像それぞれを表わす複数のグレー色画像データに基いて前記ディスプレイが表示した複数のグレー色を入手し、それら複数のグレー色画像データと複数のグレー色とを使って、前記複数の近似曲線を作成するものであることを特徴とする請求項１記載のプロファイル作成装置。
【請求項７】
コンピュータに組み込まれ、該コンピュータ上に、
画像を表わす画像データの入力を受け、その画像データが表わす画像を、固有の曲線で表わされる入出力特性に従った色で表示するディスプレイについて、互いに色が異なる複数の単色画像それぞれを表わす複数の単色画像データに基いて前記ディスプレイが表示した複数の出力色を入手し、それら複数の単色画像データと複数の出力色とを使って、前記入出力特性を、互いに異なる複数の近似方法それぞれで近似して複数の近似曲線を得る曲線作成部と、
前記曲線作成部で得られた複数の近似曲線それぞれについて、前記入出力特性に対する近似精度を算出する精度算出部と、
前記複数の近似曲線のうち、前記精度算出部で算出された近似精度が所定の高精度条件を満たす近似曲線を選択する選択部と、
前記選択部で選択された近似曲線を使って、前記ディスプレイに依存した第１の色空間と、該第１の色空間とは別の第２の色空間との対応関係を定義したプロファイルを作成する作成部とを構築することを特徴とするプロファイル作成プログラム。
【請求項８】
画像を表わす画像データの入力を受け、その画像データが表わす画像を、固有の曲線で表わされる入出力特性に従った色で表示するディスプレイと、
前記ディスプレイについて、互いに色が異なる複数の単色画像それぞれを表わす複数の単色画像データに基いて前記ディスプレイが表示した複数の出力色を入手し、それら複数の単色画像データと複数の出力色とを使って、前記入出力特性を、互いに異なる複数の近似方法それぞれで近似して複数の近似曲線を得る曲線作成部と、
前記曲線作成部で得られた複数の近似曲線それぞれについて、前記入出力特性に対する近似精度を算出する精度算出部と、
前記複数の近似曲線のうち、前記精度算出部で算出された近似精度が所定の高精度条件を満たす近似曲線を選択する選択部と、
前記選択部で選択された近似曲線を使って、前記ディスプレイに依存した第１の色空間と、該第１の色空間とは別の第２の色空間との対応関係を定義したプロファイルを作成する作成部と、
前記第２の色空間で色を定義して画像を表わした画像データを入手し、その画像データを、前記作成部で作成されたプロファイルによって、前記第１の色空間で色を定義して画像を表わした画像データに変換し、その変換後の画像データを前記ディスプレイに入力する変換部とを備えたことを特徴とする画像出力装置。
【発明の詳細な説明】
【技術分野】
【０００１】
本発明は、ディスプレイのプロファイルを作成するプロファイル作成装置、プロファイル作成プログラム、およびプロファイルを使って画像を表示する画像表示装置に関する。
【背景技術】
【０００２】
従来より、カラーの画像を表示するディスプレイとして、陰極線管を使って画像を表示するＣＲＴモニタが広く普及している。このＣＲＴモニタは、陰極線管の蛍光面をレッド（Ｒ）、グリーン（Ｇ）、ブルー（Ｂ）等の基準色それぞれで発光させ、それらの発光色の視覚的な混合により画像の色を表現する。
【０００３】
ここで、ＣＲＴモニタにおける画像の表示は、画像を表わす画像データの入力を受けて行なわれるが、その入力される画像データにおいては、上記のような基準色それぞれを座標軸とする、ＣＲＴモニタに依存した色空間で画像の色が定義されている必要がある。しかし、画像データの作成元では、そのような色空間とは別の色空間で色が定義された画像データが作成されることが多い。そこで、作成元から渡された画像データが表わす画像をＣＲＴモニタに表示するに当たっては、その渡された画像データを、ＣＲＴモニタに依存した色空間で色が定義された画像データに変換し、その変換後の画像データをＣＲＴモニタに入力するという処理が行なわれる。このような画像データの変換は、画像データの作成装置やＣＲＴモニタ等といったデバイスに非依存の色空間を介して行なわれ、その変換には、ＣＲＴモニタに依存した色空間とデバイスに非依存の色空間との対応関係を定義したモニタプロファイルが使われる。
【０００４】
ところで、ＣＲＴモニタに入力される画像データと蛍光面の発光輝度との間には、上記の各基準色毎に、陰極線管の電気的特性が反映された入出力特性があり、次のような曲線で近似される。即ち、カラーのＣＲＴモニタにおける基準色ごとの入出力特性は、入力信号をｘとすると、f（ｘ）＝ｘγという式で近似される。そして、入出力特性を近似するこのような近似曲線が、上記のモニタプロファイルの作成に使われる。
【０００５】
ところで、近年、液晶モニタの性能が向上し、上記のＣＲＴモニタに替わるディスプレイとして液晶モニタが使われるようになってきている。ここで、この液晶モニタは、画像表示の仕組みがＣＲＴモニタとは原理的に異なるため、液晶モニタの入出力特性は、本来は、ＣＲＴモニタの入出力特性とは異なったものとなる。一方で、カラーの液晶モニタには、上記のような複数の基準色の視覚的な混合により色を表現する等、ＣＲＴモニタと共通する部分も多い。そこで、ＣＲＴモニタで培われてきた画像表示に関するノウハウを液晶モニタにも適用できるように、多くの液晶モニタの入出力特性は、見かけ上、ＣＲＴモニタの特性に似るようにソフト的あるいはハード的に調整されている。
【０００６】
そこで、ディスプレイについてのモニタプロファイルを作成するに当たり、そのディスプレイの入出力特性に対する近似曲線としてディスプレイの種類に関わらずf（ｘ）＝ｘγという式の曲線を用いることが多い。
【０００７】
一方で、液晶モニタについては、入出力特性を多項式で近似した近似曲線や、実測によって得た入出力特性を使ってモニタプロファイルを作成するという方法も提案されている（例えば、特許文献１参照。）。
【特許文献１】特開２００５−１９６１５６号公報
【発明の開示】
【発明が解決しようとする課題】
【０００８】
しかしながら、液晶モニタの中には調整が十分でないものも多く、上記のf（ｘ）＝ｘγという式の曲線では液晶モニタの実際の入出力特性を十分に近似できない場合がある。また、多項式で入出力特性を近似する方法には、多項式を確定するためのパラメータが多く、入出力特性を十分に近似するための多項式を一意的に求めることが難しいという問題がある。また、入出力特性を実測するという方法には、実測の密度が粗いために得られた入出力特性の精度が低いという問題がある。そして、精度の低い入出力特性を使うと、モニタプロファイルに対するディスプレイの入出力特性の反映が不十分となり、色の表示精度が下がってしまうという問題が生じる。
【０００９】
本発明は、上記事情に鑑み、ディスプレイの入出力特性が十分に反映されたプロファイルを作成するプロファイル作成装置、コンピュータをそのようなプロファイル作成装置として動作させるプロファイル作成プログラム、およびそのようなプロファイルを使って画像を適切な色で表示する画像表示装置を提供することを目的とする。
【課題を解決するための手段】
【００１０】
上記目的を達成する本発明のプロファイル作成装置は、
画像を表わす画像データの入力を受け、その画像データが表わす画像を、固有の曲線で表わされる入出力特性に従った色で表示するディスプレイについて、互いに色が異なる複数の単色画像それぞれを表わす複数の単色画像データに基いて上記ディスプレイが表示した複数の出力色を入手し、それら複数の単色画像データと複数の出力色とを使って、上記入出力特性を、互いに異なる複数の近似方法それぞれで近似して複数の近似曲線を得る曲線作成部と、
上記曲線作成部で得られた複数の近似曲線それぞれについて、上記入出力特性に対する近似精度を算出する精度算出部と、
上記複数の近似曲線のうち、上記精度算出部で算出された近似精度が所定の高精度条件を満たす近似曲線を選択する選択部と、
上記選択部で選択された近似曲線を使って、上記ディスプレイに依存した第１の色空間と、その第１の色空間とは別の第２の色空間との対応関係を定義したプロファイルを作成する作成部とを備えたことを特徴とする。
【００１１】
また、本発明の近似曲線作成装置において、
「上記選択部が、上記複数の近似曲線のうち、上記精度算出部で算出された近似精度が最も高いという高精度条件を満たす近似曲線を選択するものである」という形態は典型的な形態である。
【００１２】
本発明の近似曲線作成装置によれば、上記近似方法として、例えば高い近似精度が期待できる近似方法を何種類か用いることで、ディスプレイの入出力特性をある程度以上に近似した複数の近似曲線が求められる。そして、それらの近似曲線の中から、例えば上記の典型的な形態のように近似精度が最も高い近似曲線を選択すること等によって、ディスプレイの入出力特性を十分に近似した近似曲線を得ることができる。その結果、そのような近似曲線を用いることで、ディスプレイの入出力特性が十分に反映されたプロファイルを作成することができる。
【００１３】
また、本発明のプロファイル作成装置において、
「上記精度算出部が、上記近似曲線を使って、上記画像データに基いて上記ディスプレイが表示する出力色の近似色を求め、その近似色とその出力色との色差を上記近似精度として算出するものである」という形態は好ましい形態である。
【００１４】
この好ましい形態のプロファイル作成装置によれば、色差という、色についての人間の見た目の印象を反映する値が近似精度として採用されることで、ディスプレイ上で適切な出力色が得られるプロファイルが適確に求められる。
【００１５】
また、本発明のプロファイル作成装置において、
「上記曲線作成部が、上記複数の近似方法として、互いに次数が異なる複数の多項式それぞれで上記入出力特性を近似する複数の近似方法を用いるものである」という形態も好ましい形態である。
【００１６】
この好ましい形態のプロファイル作成装置によれば、近似において自由度の高い多項式が用いられることで、様々な入出力特性に良好に対応することができる。
【００１７】
また、本発明のプロファイル作成装置において、
「上記曲線作成部が、上記複数の近似方法のうちの１つの近似方法として、出力値を入力値の指数乗で表わす関数で上記入出力特性を近似する近似方法を用いるものである」という形態も好ましい。
【００１８】
この好ましい形態のプロファイル作成装置によれば、例えば、液晶モニタの入出力特性がＣＲＴモニタの入出力特性に十分に合わせ込まれている場合に、出力値を入力値の指数乗で表わす関数、即ち、f（ｘ）＝ｘγという関数を使って入出力特性を簡単に近似することができる。
【００１９】
また、本発明のプロファイル作成装置において、
「上記曲線作成部が、互いに濃度が異なる複数のグレー色画像それぞれを表わす複数のグレー色画像データに基いて上記ディスプレイが表示した複数のグレー色を入手し、それら複数のグレー色画像データと複数のグレー色とを使って、上記複数の近似曲線を作成するものである」という形態も好ましい形態である。
【００２０】
この好ましい形態のプロファイル作成装置によれば、人間の目が敏感に色の差異を感じるグレー色について、ディスプレイの入出力特性を適確に近似した近似曲線が得られる。
【００２１】
また、上記目的を達成する本発明のプロファイル作成プログラムは、
コンピュータに組み込まれ、そのコンピュータ上に、
画像を表わす画像データの入力を受け、その画像データが表わす画像を、固有の曲線で表わされる入出力特性に従った色で表示するディスプレイについて、互いに色が異なる複数の単色画像それぞれを表わす複数の単色画像データに基いて上記ディスプレイが表示した複数の出力色を入手し、それら複数の単色画像データと複数の出力色とを使って、上記入出力特性を、互いに異なる複数の近似方法それぞれで近似して複数の近似曲線を得る曲線作成部と、
上記曲線作成部で得られた複数の近似曲線それぞれについて、上記入出力特性に対する近似精度を算出する精度算出部と、
上記複数の近似曲線のうち、上記精度算出部で算出された近似精度が所定の高精度条件を満たす近似曲線を選択する選択部と、
上記選択部で選択された近似曲線を使って、上記ディスプレイに依存した第１の色空間と、その第１の色空間とは別の第２の色空間との対応関係を定義したプロファイルを作成する作成部とを構築することを特徴とする。
【００２２】
本発明のプロファイル作成プログラムによれば、上述した本発明のプロファイル作成装置の構成要素がコンピュータによって容易に構築される。
【００２３】
また、上記目的を達成する本発明の画像出力装置は、
画像を表わす画像データの入力を受け、その画像データが表わす画像を、固有の曲線で表わされる入出力特性に従った色で表示するディスプレイと、
上記ディスプレイについて、互いに色が異なる複数の単色画像それぞれを表わす複数の単色画像データに基いて上記ディスプレイが表示した複数の出力色を入手し、それら複数の単色画像データと複数の出力色とを使って、上記入出力特性を、互いに異なる複数の近似方法それぞれで近似して複数の近似曲線を得る曲線作成部と、
上記曲線作成部で得られた複数の近似曲線それぞれについて、上記入出力特性に対する近似精度を算出する精度算出部と、
上記複数の近似曲線のうち、上記精度算出部で算出された近似精度が所定の高精度条件を満たす近似曲線を選択する選択部と、
上記選択部で選択された近似曲線を使って、上記ディスプレイに依存した第１の色空間と、その第１の色空間とは別の第２の色空間との対応関係を定義したプロファイルを作成する作成部と、
上記第２の色空間で色を定義して画像を表わした画像データを入手し、その画像データを、上記作成部で作成されたプロファイルによって、上記第１の色空間で色を定義して画像を表わした画像データに変換し、その変換後の画像データを上記ディスプレイに入力する変換部とを備えたことを特徴とする。
【００２４】
本発明の画像表示装置によれば、ディスプレイの入出力特性が十分に反映されたプロファイルを使って画像を適切な色で表示することができる。
【００２５】
尚、本発明のプロファイル作成プログラム、および画像表示装置については、ここではその基本形態のみを示すに止めるが、これは単に重複を避けるためであり、本発明のプロファイル作成プログラム、および画像表示装置には、上記の基本形態のみではなく、前述したプロファイル作成装置の各形態に対応する各種の形態が含まれる。
【００２６】
また、本発明のプロファイル作成プログラムがコンピュータ上に構築する曲線作成部などといった要素は、１つの要素が１つのプログラム部品によって構築されるものであっても良く、１つの要素が複数のプログラム部品によって構築されるものであっても良く、複数の要素が１つのプログラム部品によって構築されるものであっても良い。また、これらの要素は、そのような作用を自分自身で実行するものとして構築されても良く、あるいは、コンピュータに組み込まれている他のプログラムやプログラム部品に指示を与えて実行するものとして構築されても良い。
【発明の効果】
【００２７】
以上、説明したように、本発明のプロファイル作成装置およびプロファイル作成プログラムによれば、ディスプレイの入出力特性が十分に反映されたプロファイルを作成することができ、本発明の画像表示装置によれば、そのようなプロファイルを使って画像を適切な色で表示することができる。
【発明を実施するための最良の形態】
【００２８】
以下図面を参照して本発明の実施の形態を説明する。
【００２９】
図１は、本発明の一実施形態を示す図である。
【００３０】
この図１には、標準光源１０の下で印刷物２０上の画像を観察したときの色を、印刷物２０の画像を表わした画像データから再現して液晶モニタ１２０上に表示する印刷校正システムが示されており、本実施形態では、この印刷校正システムはコンピュータ１００で構成されている。また、このコンピュータ１００の本体部１１０にはプロファイル作成機能が組み込まれている。
【００３１】
印刷校正システムを構成するコンピュータ１００は、ＣＰＵ、ＲＡＭメモリ、ハードディスク等を内蔵した本体部１１０、本体部１１０からのＲＧＢデータの入力により表示画面１２１に画像表示を行なう液晶モニタ１２０、このコンピュータ１００内にユーザの指示や文字情報を入力するためのキーボード１３０、表示画面１２１上の任意の位置を指定することによりその位置に応じた指示を入力するマウス１４０を備えている。また、ここに示すコンピュータ１００には、色を測定してＸＹＺ値やｘｙ値を測定値として出力する測色器１５０も備えられている。この測色器１５０は、液晶モニタ１２０に固定されて表示画面１２１上の表示色を測色したり、あるいは、液晶モニタ１２０から外されて、後述の基準白色版３０の白色を測色したりするのに利用される。
【００３２】
本体部１１０は、さらに、外観上、フレキシブルディスク（ＦＤ）が装填されるＦＤ装填口１１１およびＣＤ−ＲＯＭやＣＤ−Ｒ（以下ＣＤと総称する）が装填されるＣＤ装填口１１２を有しており、その内部には、装填されたＦＤやＣＤをドライブする、ＦＤドライブやＣＤドライブも搭載されている。
【００３３】
図２は、図１に示す外観を有するコンピュータのハードウェア構成図である。
【００３４】
ここには、中央演算処理装置（ＣＰＵ）１１３、ＲＡＭメモリ１１４、ＨＤＤ（ハードディスク装置）１１５、ＦＤドライブ１１６、ＣＤドライブ１１７が備えられており、それらはバス１６０で相互に接続されている。また、ここには、図１にも示した液晶モニタ１２０、キーボード１３０、マウス１４０、測色器１５０も示されており、これらもバス１６０に接続されている。
【００３５】
ＦＤドライブ１１６、ＣＤドライブ１１７は、図１を参照して説明したように、ＦＤ２００、ＣＤ２１０をアクセスするものである。
【００３６】
ここで、ＣＤ２１０に、コンピュータ１００をプロファイル作成装置として動作させるプロファイル作成プログラムが記憶されている場合には、そのＣＤ２１０が図１に示すＣＤ装填口１１２から本体部１１０内に装填され、ＣＤドライブ１１７により、そのＣＤ２１０からプロファイル作成プログラムが読み込まれ、バス１６０を経由し、このコンピュータ１００のＨＤＤ１１５内にインストールされる。実際の実行に当たっては、そのＨＤＤ１１５内のプロファイル作成プログラムはＲＡＭメモリ１１４上にロードされ、ＣＰＵ１１３により実行される。
【００３７】
図１に戻って説明を続ける。
【００３８】
液晶モニタ１２０は、ＲＧＢ３色についての見かけ上の入出力特性が、f（ｘ）＝ｘγという式で表わされるＣＲＴモニタ特有の入出力特性となるように調整されている。そして、この液晶モニタ１２０には、その見かけ上の入出力特性を表わす近似曲線におけるγ値や表示色の輝度をユーザがハード的に調整するための操作子が備えられている。例えば、ユーザがその操作子を操作してγ値を調整すると、液晶モニタ１２０の見かけ上の入出力特性が、その調整されたγ値に応じた特性に調整される。このとき、ＲＧＢ３色それぞれの見かけ上の入出力特性について、１つのγ値が共通に使われる。
【００３９】
ユーザは、コンピュータ１００が印刷校正システムとして動作するのに先立って、液晶モニタ１２０の操作子を操作して、以下説明するようなキャリブレーションを行なう。
【００４０】
先ず、ユーザは、入射してくる光をほぼ無吸収で散乱させる基準白色版３０を標準光源１０の下に置き、その標準光源１０の下での基準白色版３０の色を測色器１５０で測色してｘｙ値を得る。次に、ユーザは、液晶モニタ１２０に白色を表示させて、そのモニタ上の白色を測色器１５０で測色してｘｙ値を得る。そして、その液晶モニタ１２０の白色から得られるｘｙ値が、基準白色版３０の白色から得られたｘｙ値に一致するように、上述した操作子を操作して輝度やγ値を調整する。これによりキャリブレーションがハード的に実現される。
【００４１】
尚、本実施形態では、上記のようにキャリブレーションがユーザの操作によって実行される例を示したが、本発明はこれに限るものではなく、例えば、コンピュータ１００の本体部１１０にキャリブレーション機能が組み込まれており、そのキャリブレーション機能によってキャリブレーションがソフト的に実行されるといった形態であっても良い。
【００４２】
このようなキャリブレーションが済んでいるという前提で、以下、印刷校正システムの構成や動作について説明する。
【００４３】
まず、図１に示すコンピュータ１００を、印刷校正システムとして動作させる印刷校正プログラムについて説明する。
【００４４】
図３は、印刷校正プログラムを示す図である。
【００４５】
この図３に示す印刷校正プログラム３００は、コンピュータを印刷校正システムとして動作させるプログラムである。ここで、印刷校正プログラム３００を記憶する印刷校正プログラム記憶媒体２２０は、プログラムを記憶可能な媒体であれば、その種類を問うものではなく、ＦＤでも、ＣＤでも、ＤＶＤでも、ハードディスク装置の磁気ディスクでも、半導体メモリでも良い。
【００４６】
印刷校正プログラム３００は、測定値取得部３１０と、プロファイル作成部３２０と、変換部３３０とで構成されている。また、プロファイル作成部３２０は、曲線作成部３２１と、精度算出部３２２と、選択部３２３と、作成部３２４とで構成されている。ここで、プロファイル作成部３２０は、本発明のプロファイル作成プログラムの一例に相当する。
【００４７】
これらの各構成要素の詳細は後で説明する。
【００４８】
図４は、印刷校正システムの機能ブロック図である。
【００４９】
この印刷校正システム４００は、図３に示す印刷校正プログラム３００が、図１に示すコンピュータ１００に組み込まれることによって実現されるシステムであり、この印刷校正システム４００を構成する測定値取得部４１０、プロファイル作成部４２０、および変換部４３０は、印刷校正プログラム３００を構成する測定値取得部３１０、プロファイル作成部３２０、および変換部３３０それぞれによってコンピュータ１００上に実質的に構築されたものである。ここで、この印刷校正システム４００は、図１および図２にも示した液晶モニタ１２０も構成要素として備えており、本発明の画像表示装置の一実施形態に相当する。また、図４に示すプロファイル作成部４２０は、本発明のプロファイル作成装置の一実施形態に相当する。さらに、変換部４３０および液晶モニタ１２０は、それぞれ本発明にいう変換部およびディスプレイの各一例に相当する。
【００５０】
印刷校正システム４００を構成する構成要素のうちプロファイル作成部４２０は、さらに、曲線作成部４２１と、精度算出部４２２と、選択部４２３と、作成部４２４とで構成されており、これらの要素は、図３に示すプロファイル作成部３２０を構成する曲線作成部３２１、精度算出部３２２、選択部３２３、および作成部３２４それぞれによってコンピュータ１００上に実質的に構築されたものである。また、図４に示す曲線作成部４２１、精度算出部４２２、選択部４２３、および作成部４２４は、それぞれ本発明にいう曲線作成部、精度算出部、選択部、および作成部の各一例に相当する。
【００５１】
以下では、先ず、この印刷校正システム４００を構成する各要素の作用について概括的に説明し、その後、各要素の作用の詳細について説明する。
【００５２】
印刷校正システム４００の測定値取得部４１０は、図１および図２に示す測色器１５０から出力される測定値（ここではＸＹＺ値）を取得するものである。
【００５３】
プロファイル作成部４２０は、測定値取得部４１０で取得された測定値に基いて、液晶モニタ１２０に依存した色空間と、デバイスに非依存の色空間との対応関係を表わしたモニタプロファイル４３２をＩＣＣプロファイルの構造で作成するものである。ここで、液晶モニタ１２０に依存した色空間が本発明にいう第１の色空間の一例に相当し、デバイスに非依存の色空間が本発明にいう第２の色空間の一例に相当する。また、モニタプロファイル４３２が、本発明にいうプロファイルの一例に相当する。
【００５４】
変換部４３０は、液晶モニタ１２０上で画像を再現するべき印刷物を表わしたＣＭＹＫデータと印刷色との対応関係を表わした印刷プロファイル４３１と、プロファイル作成部４２０によって作成されたモニタプロファイル４３２とに基いて、上記の印刷物を再現した校正用のプルーフ画像を作成して液晶モニタ１２０上に表示させるものである。
【００５５】
ここで、ＩＣＣプロファイルの構造について説明する。
【００５６】
図５は、ＩＣＣプロファイルの構造を表わす図である。
【００５７】
ＩＣＣプロファイルの規定上はいくつかのプロファイル構造が任意に採用可能となっているが、本実施形態では、この図５に示す構造のＩＣＣプロファイル５００が採用されている。このＩＣＣプロファイル５００は、標準光源下でのＸＹＺ値をＲＧＢデータに変換する変換行列を表わした３×３マトリクス５１０と、ＲＧＢデータを構成するＲ値、Ｇ値、Ｂ値のそれぞれを互いに独立にＲ’値、Ｇ’値、Ｂ’値に変換する変換関係を表わした１次元の入力側ＬＵＴ５２０と、Ｒ’値、Ｇ’値、Ｂ’値からなるＲ’Ｇ’Ｂ’データを、Ｒ”値、Ｇ”値、Ｂ”値からなるＲ”Ｇ”Ｂ”データに変換する変換関係を、多数のＲ’Ｇ’Ｂ’データそれぞれに対応した多数のＲ”Ｇ”Ｂ”データの対応表で表わした３次元ＬＵＴ５３０と、Ｒ”Ｇ”Ｂ”データを構成するＲ”値、Ｇ”値、Ｂ”値のそれぞれを互いに独立にＲ”’値、Ｇ”’値、Ｂ”’値に変換する変換関係を表わした１次元の出力側ＬＵＴ５４０とで構成されている。
【００５８】
ＩＣＣプロファイル５００を構成するこれらの要素は、図４の作成部４２４で作成される。
【００５９】
また、この図５に示す構造を有するＩＣＣプロファイル５００のデータは、ＩＣＣプロファイルの規約上、Ｂ２Ａタグ中に格納されることとなっており、そのＢ２Ａタグ中には、３×３マトリクス５１０、１次元の入力側ＬＵＴ５２０、３次元ＬＵＴ５３０、および１次元の出力側ＬＵＴ５４０それぞれを表わした各データが格納される。
【００６０】
図４に示す印刷校正システム４００の各構成要素について以下に説明する。
【００６１】
測定値取得部４１０は、先ず、液晶モニタ１２０に以下に説明するＲＧＢデータを入力することで１１２種類のパッチを順次に表示させ、液晶モニタ１２０上に表示される各パッチの色を測定して得られる測定値を取得するものである。
【００６２】
本実施形態では、測定値取得部４１０は、液晶モニタ１２０に次のようなＲＧＢデータを入力する。
【００６３】
即ち、白色のパッチを表わす、（Ｒ，Ｇ，Ｂ）＝（２５５，２５５，２５５）のＲＧＢデータや、１５階調のＲ色それぞれのパッチを表わす、（Ｒ，Ｇ，Ｂ）＝（１７，０，０）から（２５５，０，０）までＲ値を１７刻みに変化させて得られる１５種類のＲＧＢデータや、１５階調のＧ色それぞれのパッチを表わす、（Ｒ，Ｇ，Ｂ）＝（０，１７，０）から（０，２５５，０）までＧ値を１７刻みに変化させて得られる１５種類のＲＧＢデータや、１５階調のＢ色それぞれのパッチを表わす、（Ｒ，Ｇ，Ｂ）＝（０，１７，０）から（０，２５５，０）までＢ値を１７刻みに変化させて得られる１５種類のＲＧＢデータや、１５階調のグレー色それぞれのパッチを表わす、（Ｒ，Ｇ，Ｂ）＝（０，０，０）から（２３８，２３８，２３８）まで、Ｒ値とＧ値とＢ値とを共に１７刻みに変化させて得られる１５種類のＲＧＢデータが液晶モニタ１２０に入力される。さらに、０，８５，１７０，２５５という値を有する、４種類のＲ値、４種類のＧ値、および４種類のＢ値との組合せで構成される６４種類のＲＧＢデータから、上記の各ＲＧＢデータと重複する１３種類を除いた、５１色のそれぞれのパッチを表わす、５１種類のＲＧＢデータも液晶モニタ１２０に入力される。
【００６４】
測定値取得部４１０は、以上に説明した１１２種類のＲＧＢデータそれぞれが表わすパッチを液晶モニタ１２０に順次に表示させるが、それらのパッチの表示は、液晶モニタ１２０に、図１に示すように測色器１５０が取り付けられた状態で行なわれる。そして、各パッチが表示される度に、そのパッチが測色器１５０で測定され、その測定で得られる各パッチについてのＸＹＺ値が、測定値取得部４１０で取得される。
【００６５】
プロファイル作成部４２０では、まず、曲線作成部４２１が、測定値取得部４１０で取得されたＸＹＺ値のうち白色および１５階調のグレー色それぞれのパッチについて得られたＸＹＺ値を用いて、液晶モニタ１２０の入出力特性を近似した複数の近似曲線を、ＲＧＢ３色それぞれについて求める。そして、精度算出部４２２が、ＲＧＢ３色それぞれについて、複数の近似曲線それぞれの近似精度を算出し、選択部４２３が、ＲＧＢ３色それぞれについて、複数の近似曲線の中から近似精度が最も高いものを選択して作成部４２４に渡す。ここで、曲線作成部４２１、精度算出部４２２、および選択部４２３についての詳細な説明は後に回し、以下では、作成部４２４について説明する。
【００６６】
作成部４２４は、測定値取得部４１０で取得されたＸＹＺ値のうち白色、最高階調のＲ色、最高階調のＧ色、および最高階調のＢ色それぞれのパッチについて得られたＸＹＺ値を用いて、図５に示す３×３マトリクス５１０、即ちＸＹＺ値をＲＧＢ値に変換するマトリクスを作成する。また、この作成部４２４は、不図示の操作画面を介して、ユーザから、所望の階調を表わす階調カーブと、液晶モニタ１２０上で複数の色相それぞれの色が所望の色となるように調整する色調整についてのパラメータを入力される。作成部４２４は、入力された階調カーブに基いて、モニタプロファイルにその階調カーブを反映させる、図５に示す１次元の入力側ＬＵＴ５２０を作成し、入力された色調整についてのパラメータに基いて、モニタプロファイルにその色調整を反映させる、図５に示す３次元ＬＵＴ５３０を作成する。ここで、３×３マトリクス５１０、１次元の入力側ＬＵＴ５２０、および３次元ＬＵＴ５３０の作成方法については従来から知られているものであり、本発明の主題ではないのでこれ以上の説明は省略する。
【００６７】
また、作成部４２４は、上記の１次元の入力側ＬＵＴ５２０および３次元ＬＵＴ５３０による変換処理を経て得られたＲ”Ｇ”Ｂ”データを、そのＲ”Ｇ”Ｂ”データが表わす色を液晶モニタ１２０上に表示させるために必要なＲ”’Ｇ”’Ｂ”’データに変換する、図５に示す１次元の出力側ＬＵＴ５４０を求める。本実施形態では、作成部４２４は、この１次元の出力側ＬＵＴ５４０を、上記の選択部４２３から渡されたＲＧＢ３色についての近似曲線それぞれの逆関数を算出することで求める。
【００６８】
そして、作成部４２４は、これら３×３マトリクス５１０、１次元の入力側ＬＵＴ５２０、３次元ＬＵＴ５３０、および１次元の出力側ＬＵＴ５４０のそれぞれを表わした各データをＢ２Ａタグ中に格納することでモニタプロファイル４３２を完成する。
【００６９】
次に、曲線作成部４２１、精度算出部４２２、および選択部４２３について詳細に説明する。
【００７０】
曲線作成部４２１は、上述したように取得部４１０で取得されたＸＹＺ値のうち白色および１５階調のグレー色それぞれのパッチについて得られたＸＹＺ値を用いて、液晶モニタ１２０の入出力特性を近似した複数の近似曲線を求めるものである。
【００７１】
ここで、ＸＹＺ値のうちのＸ値は色におけるＲ色成分に対応しており、Ｙ値はＧ色成分に対応しており、Ｚ値はＢ色成分に対応している。そこで、曲線作成部４２１では、液晶モニタ１２０に入力されるＲＧＢデータのうちＲ値と、液晶モニタ１２０の出力色におけるＲ色成分との対応関係、即ちＲ色についての入出力関係を近似した近似曲線が、Ｒ値とＸ値との対応関係で求められ、同様に、Ｇ色についての近似曲線がＧ値とＹ値との対応関係で求められ、Ｂ色についての近似曲線がＢ値とＺ値との対応関係で求められる。
【００７２】
また、これらの近似曲線を求める際には、Ｒ値、Ｇ値、Ｂ値については、最大値である「２５５」で規格化された値が使われる。また、グレー色のパッチを測定して得られたＸＹＺ値については、白色のパッチを測定して得られたＸＹＺ値で規格化された値が使われる。
【００７３】
本実施形態では、曲線作成部４２１は、２次曲線から８次曲線までの７種類の近似曲線と、ｆ（ｘ）＝ｘγという式の近似曲線とを求める。
【００７４】
まず、ｆ（ｘ）＝ｘγという式の近似曲線を求める場合について説明する。
【００７５】
曲線作成部４２１は、この近似曲線を、Ｒ＝Ｇ＝Ｂ＝「１０２」，「１５３」，「２０４」という３階調のグレー色と、白色とのそれぞれのパッチについて得られたＸ値、Ｙ値、およびＺ値を用いて求める。
【００７６】
図６は、ｆ（ｘ）＝ｘγという式の近似曲線を示す概念図である。
【００７７】
この図の横軸はグレー色のパッチのＲＧＢデータ（Ｒ＝Ｇ＝Ｂ）についての規格値を表わしており、縦軸は規格化されたＸ値を表わしており、この図の曲線が近似曲線を表わしている。ただし、近似曲線は、ＲＧＢ３色それぞれについて求められるものであり、この図６ではＲ色に対する近似曲線が表わされている。
【００７８】
上記のように、この図６の近似曲線では、ｆ（ｘ）＝ｘγという式が用いられており、この図６の近似曲線はこの式におけるγ値で定義される。また、Ｒ＝Ｇ＝Ｂ＝０の黒点ではＸ値が「０」となり、Ｒ＝Ｇ＝Ｂ＝２５５（規格値＝１．０）の白点では、白色についてのＸ値Ｘｗ（規格値＝１．０）となる。これら黒点と白点は近似曲線の両端に相当する。従って、３階調のグレー色のパッチにおける規格化されたＸ値Ｘ１，Ｘ２，Ｘ３それぞれから上記の式におけるγ値を算出することができる。ここで、上述したように、液晶モニタ１２０では、ＲＧＢ３色それぞれの見かけ上の入出力特性が調整される際に１つのγ値が共通に使われるので、本実施形態では、３つの規格化されたＸ値Ｘ１，Ｘ２，Ｘ３から３つのγ値が算出され、平均値が算出されることで、近似曲線を定義するγ値が得られる。
【００７９】
Ｒ色に対する近似曲線を定義するγ値は、上述したように規格化されたＸ値から算出され、Ｇ色およびＢ色に対する近似曲線を定義するγ値は、同様に、規格化されたＹ値およびＺ値から算出される。
【００８０】
次に、２次曲線から８次曲線までの７種類の近似曲線を求める場合について説明する。
【００８１】
曲線作成部４２１は、これら７種類の近似曲線それぞれを、Ｒ＝Ｇ＝Ｂ＝「０」，「１７」，「３４」，…，「２３８」という１５階調のグレー色と、白色とのそれぞれのパッチについて得られたＸ値、Ｙ値、およびＺ値を用いて求める。ただし、ここでも、ＲＧＢデータは「２５５」で規格化された値が使われ、測定ＸＹＺ値は白色の測定ＸＹＺ値で規格化された値が使われる。
【００８２】
図７は、２次曲線や８次曲線等といった近似曲線を示す概念図である。
【００８３】
図６と同様、この図７の横軸はグレー色のパッチの規格化されたＲＧＢデータ（Ｒ＝Ｇ＝Ｂ）を表わしており、縦軸は規格化されたＸ値を表わしており、この図の曲線が近似曲線を表わしている。また、この図７でも図６と同様にＲ色に対する近似曲線が表わされている。ここで、上述したように、本実施形態では、２次曲線から８次曲線までの７種類の近似曲線が求められるが、この図７では、これらの近似曲線が１本の曲線で代表的に示されている。
【００８４】
ここで、例えば、近似曲線の次数をｎ次とすると、その近似曲線は次の多項式で表わされる。
【００８５】
ｆ（ｘ）＝Ｃｎ・ｘｎ＋Ｃｎ−１・ｘ（ｎ−１）＋…＋Ｃ１・ｘ１＋Ｃ０
図４に示す曲線作成部４２１は、まず、この多項式における係数を算出する。例えば、２次曲線の多項式については、Ｃ２、Ｃ１、およびＣ０の３つの係数が算出され、以下同様に、８次曲線までの各多項式の係数が算出される。
【００８６】
本実施形態では、１５階調のグレー色および白色それぞれのパッチについての測定値を規格化したＸ値Ｘ１，Ｘ２，Ｘ３，…，Ｘ１５，１．０を使った最小二乗法によって、上記の係数が算出される。
【００８７】
Ｒ色に対する多項式の係数は、このような規格化されたＸ値から算出され、同様に、Ｇ色およびＢ色に対する多項式の係数は、それぞれ規格化されたＹ値および規格化されたＺ値から算出される。
【００８８】
曲線作成部４２１が求めた複数の近似曲線は、精度算出部４２２に渡される。
【００８９】
そして、精度算出部４２２は、各近似曲線の近似精度を次のように算出する。
【００９０】
まず、精度算出部４２２は、液晶モニタ１２０上に出力されるであろうパッチの色（予測色）を表わすＸＹＺ値を、そのパッチを表わすＲＧＢデータを以下に示す算出式に代入することで算出する。本実施形態では、このＸＹＺ値の算出が、上記の１５階調のグレー色それぞれのパッチを含む上述の１１２種類のパッチを表わす上述の１１２種類のＲＧＢデータそれぞれについて実行される。
【００９１】
【数１】
2007163979.tif 000003
【００９２】
この式におけるｆｒ（Ｒ）は、Ｒ色についての近似曲線であり、同様に、ｆｇ（Ｇ）およびｆｂ（Ｂ）は、それぞれＧ色およびＢ色についての近似曲線である。また、この式におけるＭｐｃｓは、図５に示す３×３マトリクス５１０の逆マトリクスであり、ＲＧＢデータを標準光源下でのＸＹＺ値に変換するものである。さらに、この式におけるＭｃｈａｄ−１は、標準光源下でのＸＹＺ値を、液晶モニタ１２０上に出力される出力色を表わすＸＹＺ値に変換するマトリクスである。そして、この式におけるＸｐｒｏｆ、Ｙｐｒｏｆ、Ｚｐｒｏｆは、上記の予測色を表わすＸＹＺ値である。ここで、ＭｐｃｓおよびＭｃｈａｄ−１の作成方法については従来から知られているものであり、本発明の主題ではないのでこれ以上の説明は省略する。
【００９３】
ここで、上記の式におけるＲＧＢ３色の近似曲線ｆｒ（Ｒ），ｆｇ（Ｇ），ｆｂ（Ｂ）の組合せには、図６を参照して説明したｆ（ｘ）＝ｘγという式の近似曲線のＲＧＢ３色についての組合せと、図７を参照して説明した多項式の近似曲線のＲＧＢ３色についての組合せとが使われる。また、多項式の近似曲線の組合せは、ＲＧＢ３色で互いに次数が同じ近似曲線で構成され、そのような組合せが、上述した２次曲線から８次曲線までの７種類に対応した７組用いられる。つまり、本実施形態では、上記の算出式におけるＲＧＢ３色の近似曲線ｆｒ（Ｒ），ｆｇ（Ｇ），ｆｂ（Ｂ）の組合せとして、上述した８組の組合せが使われる。
【００９４】
精度算出部４２２は、これら８組の組合せそれぞれについて以下の計算を実行する。
【００９５】
まず、精度算出部４２２は、上記の予測色を表わすＸＹＺ値Ｘｐｒｏｆ、Ｙｐｒｏｆ、Ｚｐｒｏｆを求める。このＸＹＺ値Ｘｐｒｏｆ、Ｙｐｒｏｆ、Ｚｐｒｏｆは、上述したように上記の１１２種類のＲＧＢデータそれぞれについて求められる。次に、各ＲＧＢデータから算出されたＸＹＺ値Ｘｐｒｏｆ、Ｙｐｒｏｆ、Ｚｐｒｏｆが表わす予測色と、そのＲＧＢデータに対応して上記の測定値取得部４１０で取得されたＸＹＺ値が表わす実際の表示色との色差が求められる。さらに、精度算出部４２２は、このように求めた１１２種類の色差の平均値（平均色差）を算出する。この平均色差が、本発明にいう近似精度の一例に相当する。
【００９６】
このような計算によって８組の組合せそれぞれについて求められた８つの平均色差は、選択部４２３に渡される。
【００９７】
選択部４２３は、上記の８組の組合せのうち、平均色差が最も小さい組合せを選択し作成部４２４に渡す。
【００９８】
以下に、上記のＲＧＢ３色の近似曲線の８組の組合せと、各組合せに対応する平均色差の例を挙げる。
【００９９】
表１には、２次曲線から８次曲線までの７種類の近似曲線が、各曲線を表わす多項式の係数で示されている。
【０１００】
【表１】
2007163979.tif 000004
【０１０１】
また、表２には、ｆ（ｘ）＝ｘγという式の近似曲線がγ値で示されている。
【０１０２】
【表２】
2007163979.tif 000005
【０１０３】
そして、これら表１および表２に示す８組の組合せそれぞれに対応する平均色差が表３に示されている。
【０１０４】
【表３】
2007163979.tif 000006
【０１０５】
表１から表３に示す例では、選択部４２３は、平均色差が最も小さい７次曲線の組合せを選択する。
【０１０６】
図８は、７次曲線とｆ（ｘ）＝ｘγという式の近似曲線とを示す図であり、図９は、図８における低輝度側の拡大図である。
【０１０７】
ｆ（ｘ）＝ｘγという式の近似曲線は、従来、液晶モニターの入出力特性を表わすために用いられてきたものであるが、図８および図９には、液晶モニターの入出力特性が、ｆ（ｘ）＝ｘγという式の近似曲線よりも、７次曲線によって良好に近似される様子が示されている。
【０１０８】
図８および図９には、７次曲線Ｌ１（実線）と、ｆ（ｘ）＝ｘγという式の近似曲線Ｌ２（点線）と、液晶モニタ１２０の入出力特性の測定値Ｓ１（白抜き点）とが示されている。この図８から、特に低輝度側において７次曲線Ｌ１がf（ｘ）＝ｘγという式の近似曲線Ｌ２よりも良好な近似性を示していることが分かる。ここで、図８および図９の例では、測定値が示す液晶モニタ１２０の実際の入出力特性において、入力が０になっても出力が０にならず、このことが原因でｆ（ｘ）＝ｘγという式の近似曲線Ｌ２と実際の入出力特性との間に誤差が生じてしまっている。これは、液晶モニタが、バックライトが発する光の透過率を変化させることで表示画面における発光輝度を変化させるという構造を有しており、入力が０になってもこのバックライトからの漏れ光によって出力が０にならないためである。
【０１０９】
次に、近似曲線と平均色差との別例を挙げる。
【０１１０】
表４には、７種類の近似曲線についての、表１の例とは別の例が示されている。
【０１１１】
【表４】
2007163979.tif 000007
【０１１２】
また、表５には、ｆ（ｘ）＝ｘγという式の近似曲線についての、表２の例とは別の例が示されている。
【０１１３】
【表５】
2007163979.tif 000008
【０１１４】
そして、これら表４および表５に示す例についての平均色差が表６に示されている。
【０１１５】
【表６】
2007163979.tif 000009
【０１１６】
表４から表６に示す例では、選択部４２３は８次曲線の組合せを選択する。
【０１１７】
図１０は、８次曲線とｆ（ｘ）＝ｘγという式の近似曲線とを示す図である。
【０１１８】
ここで、上述したように液晶モニタでは、見かけ上の入出力特性をＣＲＴモニタの入出力特性に似せるためのハード的な調整が施されている。表４から表６に示す例は、この見かけ上の入出力特性に対する調整の精度が低い液晶モニタについての近似曲線を得た例である。ＣＲＴモニタはf（ｘ）＝ｘγという式で表わされる入出力特性を有しているので、液晶モニタの入出力特性も、例えば図８の例のようにある程度はこの式で近似できるはずである。しかしながら、表４から表６に示す例では、この調整の精度が低いために、図１０から分かるように、f（ｘ）＝ｘγという式の近似曲線Ｌ４（点線）は、測定値Ｓ２（白抜き点）が示す実際の入出力特性から大きく外れてしまう。一方、本実施形態によれば、このような調整の精度が低い液晶モニタについても、多項式によって図１０に示すように精度の良い近似曲線を得ることができる。
【０１１９】
以上、例を挙げて説明したように、本実施形態では、精度の良い近似曲線の組合せが選択部４２３で得られる。そして、その組合せが、作成部４２４に渡される。また、本実施形態では、この近似曲線の組合せの引渡しでは、f（ｘ）＝ｘγという式の近似曲線の組合せについては近似曲線を定義するγ値の組合せが渡され、多項式の近似曲線の組合せについては近似曲線を定義する係数の組合せが渡される。
【０１２０】
作成部４２４は、このように渡された組合せに基いて、ＩＣＣプロファイル５００における１次元の出力側ＬＵＴ５４０を次のように求める。ここで、この１次元の出力側ＬＵＴ５４０は、近似曲線の逆関数を算出することで求められる。
【０１２１】
まず、図４の作成部４２４が、γ値の組合せを受け取った場合について説明する。
【０１２２】
γ値で定義されるf（ｘ）＝ｘγという式の近似曲線の逆関数は、f（ｘ）＝ｘ１／γという式になる。そこで、作成部４２４は、この式f（ｘ）＝ｘ１／γに、受け取った組み合わせをなすγ値を単純に代入することで確定する逆関数に基いて１次元の出力側ＬＵＴ５４０を求める。
【０１２３】
次に、図４の作成部４２４が、係数の組合せを受け取った場合について説明する。
【０１２４】
ここで、多項式の逆関数を式の形で求めることは困難である。そこで、本実施形態では、受け取った組合せをなす係数が定義する多項式の近似曲線をＬＵＴ化し、そのＬＵＴに基いて多項式の近似曲線の逆関数を表わす１次元の出力側ＬＵＴ５４０が求められる。
【０１２５】
まず、係数で定義される近似曲線に基いて、０から１．０までの間の等間隔の４０９６個の入力値と、各入力値に対応する不等間隔の出力値とからなる、その近似曲線を表わす１次元のＬＵＴが作成される。次に、今度は、０から１．０までの間の等間隔の４０９６個の出力値に上記の近似曲線において対応する不等間隔の入力値が、上記の１次元のＬＵＴを使った補間演算によって求められる。そして、等間隔の４０９６個の出力値を入力値とし、補間演算で求められた不等間隔の入力値を出力値とすることで、上記の係数で定義される近似曲線の逆関数を表わす１次元の出力側ＬＵＴ５４０が作成される。
【０１２６】
図４の作成部４２４は、このように求めた１次元の出力側ＬＵＴ５４０を使ってモニタプロファイル４２３を作成する。このように作成されたモニタプロファイル４２３は、液晶モニタ１２０の入出力特性が精度良く反映されているので高精度である。図４の変換部４３０は、この高精度のモニタプロファイル４２３を使って、上記の校正用のプルーフ画像を液晶モニタ１２０上に色について高精度で表示させることができる。
【０１２７】
また、本実施形態では、液晶モニタ固有の入出力特性を十分に近似した近似曲線を得るためにオペレータに求められる操作は、液晶モニタ１２０上に上述した１１２種類のパッチを表示するように指示するという操作だけなのでオペレータの負担は非常に軽い。
【０１２８】
以上、説明したように、本実施形態によれば、液晶モニタの入出力特性が十分に反映されたプロファイルを容易に作成することができ、そのようなプロファイルを使って液晶モニタ上に色を適切に表示することができる。
【０１２９】
尚、上記説明では、本発明にいう選択部の一例として、複数の近似曲線のうち、近似精度として算出された平均色差が最小となる近似曲線を選択する選択部４２３を例示したが本発明はこれに限るものではない。本発明の選択部は、例えば、複数の近似曲線のうち、近似精度として算出された平均色差が次点や三番目等といった所定の上位となる近似曲線を選択するものであっても良く、あるいは、近似精度として算出された平均色差の値が所定の閾値を下回る近似曲線の中から任意に１つの近似曲線を選択するもの等であっても良い。
【０１３０】
また、上記説明では、本発明にいう出力色の一例として、予め用意された１１２種類のＲＧＢデータに応じて表示される液晶モニタ上の１１２色を例示したが、本発明にいう出力色は、例えばオペレータの操作に応じて決められる色等であっても良い。
【０１３１】
また、上記説明では、本発明にいう精度算出部の一例として、上記の１１２色全てについての、近似曲線による算出値が表す色と測定値が表す色との色差の平均を、その近似曲線の精度として算出する精度算出部４２２を例示したが、本発明にいう精度算出部は、例えば、各色の色差に重み付けを施してから求める重み付け平均を精度として算出するものであっても良く、さらに、各色についての重みを、オペレータの操作に応じた重みとするもの等であっても良い。
【０１３２】
また、上記説明では、本発明にいう色データの一例としてＲＧＢデータが示されているが、本発明にいう色データは、例えばＣＭＹデータ等であっても良い。
【０１３３】
また、上記説明では、本発明にいう出力色がＸＹＺ値で表現された例が示されているが、本発明にいう出力色は、例えばＬａｂ値で表現されても良い。
【図面の簡単な説明】
【０１３４】
【図１】本発明の一実施形態を示す図である。
【図２】図１に示す外観を有するコンピュータのハードウェア構成図である。
【図３】印刷校正プログラムを示す図である。
【図４】印刷校正システムの機能ブロック図である。
【図５】ＩＣＣプロファイルの構造を表わす図である。
【図６】ｆ（ｘ）＝ｘγという式の近似曲線を示す概念図である。
【図７】２次曲線や８次曲線等といった近似曲線を示す概念図である。
【図８】７次曲線とｆ（ｘ）＝ｘγという式の近似曲線とを示す図である。
【図９】図８における低輝度側の拡大図である。
【図１０】８次曲線とｆ（ｘ）＝ｘγという式の近似曲線とを示す図である。
【符号の説明】
【０１３５】
１０    標準光源
２０    印刷物
３０    基準白色版
１００    コンピュータ
１１０    本体部
１１１    ＦＤ装填口
１１２    ＣＤ装填口
１１３    ＣＰＵ
１１４    ＲＡＭメモリ
１１５    ＨＤＤ
１１６    ＦＤドライブ
１１７    ＣＤドライブ
１２０    液晶モニタ
１２１    表示画面
１３０    キーボード
１４０    マウス
１５０    測色器
１６０    バス
２００    ＦＤ
２１０    ＣＤ
２２０    印刷校正プログラム記憶媒体
３００    印刷校正プログラム
３１０    測定値取得部
３２０    プロファイル作成部
３２１    曲線作成部
３２２    精度算出部
３２３    選択部
３２４    作成部
３３０    変換部
４００    印刷校正システム
４１０    測定値取得部
４２０    プロファイル作成部
４２１    曲線作成部
４２２    精度算出部
４２３    選択部
４２４    作成部
４３０    変換部
４３１    印刷プロファイル
４３２    モニタプロファイル
５００    ＩＣＣプロファイル
５１０    ３×３マトリクス
５２０    １次元の入力側ＬＵＴ
５３０    ３次元ＬＵＴ
５４０    １次元の出力側ＬＵＴ
【図１】
2007163979.tif 000010
【図２】
2007163979.tif 000011
【図３】
2007163979.tif 000012
【図４】
2007163979.tif 000013
【図５】
2007163979.tif 000014
【図６】
2007163979.tif 000015
【図７】
2007163979.tif 000016
【図８】
2007163979.tif 000017
【図９】
2007163979.tif 000018
【図１０】
2007163979.tif 000019